(57)【特許請求の範囲】
【請求項１】
光出射面の側方から入射した光を導光して該光出射面から出射させる導光体であって、
第１光源から入射した光を前記光出射面へ向けて反射する複数の第１反射構造体が、前記光出射面の面内方向へ列状に配置された第１反射列を有する第１反射領域と、
前記第１光源とは光軸方向が異なる第２光源から入射した光を前記光出射面へ向けて反射する複数の第２反射構造体が、前記光出射面の面内方向へ列状に配置された第２反射列を有する第２反射領域とを含み、
前記第１反射列と前記第２反射列とは、互いに略平行に並んで配置されており、
少なくとも１つの前記第１反射列が、前記第２反射列の間に挟まれており、
前記光出射面の鉛直方向から見たとき、前記第１反射領域の少なくとも一部が前記第２反射領域と重なっており、
前記第２反射領域内に位置する前記第１反射領域の境界線の内縁部において、前記第１反射領域の反射量は、前記境界線に近づくにつれて徐々に減衰していることを特徴とする導光体。
【請求項２】
前記第１反射列と前記第２反射列とは、所定の順番で、周期的に配置されていることを特徴とする請求項１に記載の導光体。
【請求項３】
前記第１反射列と前記第２反射列とは、交互に配置されていることを特徴とする請求項２に記載の導光体。
【請求項４】
前記光出射面の鉛直方向から見た場合、前記第１反射構造体および前記第２反射構造体は、長手方向を有する形状であることを特徴とする請求項１から３のいずれか一項に記載の導光体。
【請求項５】
前記第１反射列における各第１反射構造体は、該第１反射構造体の長手方向が互いに略平行になるように配置さており、
前記第２反射列における各第２反射構造体は、該第２反射構造体の長手方向が互いに略平行になるように配置されていることを特徴とする請求項２に記載の導光体。
【請求項６】
前記第１反射構造体は、該第１反射構造体の長手方向が前記第１反射列の延伸方向と一致する向きに配置されており、
前記第２反射構造体は、該第２反射構造体の長手方向が前記第２反射列の延伸方向と直交する向きに配置されていることを特徴とする請求項５に記載の導光体。
【請求項７】
光出射面の側方から入射した光を導光して該光出射面から出射させる導光体であって、
第１光源から入射した光を屈折させて前記光出射面から出射させる複数の第１屈折構造体が、前記光出射面の面内方向へ列状に配置された第１屈折列を有する第１屈折領域と、
前記第１光源とは光軸方向が異なる第２光源から入射した光を屈折させて前記光出射面から出射させる複数の第２屈折構造体が、前記光出射面の面内方向へ列状に配置された第２屈折列を有する第２屈折領域とを含み、
前記第１屈折列と前記第２屈折列とは、互いに略平行に並んで配置されており、
少なくとも１つの前記第１屈折列が、前記第２屈折列の間に挟まれており、
前記光出射面の鉛直方向から見たとき、前記第１屈折領域の少なくとも一部が前記第２屈折領域と重なっており、
前記第２屈折領域内に位置する前記第１屈折領域の境界線の内縁部において、前記第１屈折領域で屈折して前記光出射面から出射される光量は、前記境界線に近づくにつれて徐々に減衰していることを特徴とする導光体。
【請求項８】
前記第１屈折列と前記第２屈折列とは、所定の順番で、周期的に配置されていることを特徴とする請求項７に記載の導光体。
【請求項９】
前記第１屈折列と前記第２屈折列とは、交互に配置されていることを特徴とする請求項８に記載の導光体。
【請求項１０】
前記光出射面の鉛直方向から見た場合、前記第１屈折構造体および前記第２屈折構造体は、長手方向を有する形状であることを特徴とする請求項７から９のいずれか一項に記載の導光体。
【請求項１１】
前記第１屈折列における各第１屈折構造体は、該第１屈折構造体の長手方向が互いに略平行になるように配置さており、
前記第２屈折列における各第２屈折構造体は、該第２屈折構造体の長手方向が互いに略平行になるように配置されていることを特徴とする請求項８に記載の導光体。
【請求項１２】
前記第１屈折構造体は、該第１屈折構造体の長手方向が前記第１屈折列の延伸方向と一致する向きに配置されており、
前記第２屈折構造体は、該第２屈折構造体の長手方向が前記第２屈折列の延伸方向と直交する向きに配置されていることを特徴とする請求項１１に記載の導光体。
【請求項１３】
請求項１から１２までのいずれか一項に記載の導光体と、
前記導光体へ光を入射させる第１光源と、
前記導光体へ光を入射させる、前記第１光源とは光軸方向が異なる第２光源と、を備えることを特徴とする発光装置。
【請求項１４】
前記光出射面に対して略平行に設けられた拡散板をさらに備えることを特徴とする請求項１３に記載の発光装置。
【発明の詳細な説明】
【技術分野】
【０００１】
本発明は、側方から入射した光を導光して光出射面から出射させる導光体および該導光体を備えた発光装置に関するものである。
【背景技術】
【０００２】
従来、光源から出射された光を導光板の側面から入射させ、導光板に配置された反射パターン（反射構造体）で反射させることによって導光板の表面（光出射面）から出射させる発光装置が知られている。
【０００３】
図１１の（ａ）は、従来の発光装置１０１を示す平面図であり、図１１の（ｂ）は、図１１の（ａ）に示される破線枠Ｓの内部における第１反射パターン１０５および第２反射パターン１０６の配置を示す上面図である。
【０００４】
図１１の（ａ）および（ｂ）に示すように、特許文献１に記載の発光装置１０１は、第１光源１０２からの光を反射させる複数の第１反射パターン１０５が配置された「ＯＰＥＮ」の文字形状をした第１反射領域ｃと、第２光源１０３からの光を反射させる複数の第２反射パターン１０６配置された「ＣＬＯＳＥ」の文字形状をした第２反射領域ｄとを含む導光板１０４を備えている。
【０００５】
発光装置１０１では、第１光源１０２を点灯させたとき導光板１０４の光出射面１４５に「ＯＰＥＮ」の文字が表示され、第２光源１０３を点灯させたとき導光板１０４の光出射面１４５に「ＣＬＯＳＥ」の文字が表示される。
【先行技術文献】
【特許文献】
【０００６】
【特許文献１】特表２００３−５１９８１０号公報（２００３年０６月２４日公開）
【発明の概要】
【発明が解決しようとする課題】
【０００７】
しかしながら、従来の発光装置１０１のように、第１反射領域ｃと第２反射領域ｄとが重なる領域において、第１反射パターン５および第２反射パターン６を千鳥状に交互に配置した構成では、例えば第１反射パターン５および第２反射パターン６の長さ（すなわち、光出射面１４５の面内方向における反射面の幅）を大きくした場合、第１反射パターン５ａ同士の配置間隔および第２反射パターン６ａ同士の配置間隔にバラツキが生じやすい。特に、第１反射領域ｃと第２反射領域ｄとが重なる領域における第１反射パターン５ａおよび第２反射パターン６ａの配置密度を大きくした場合、配置間隔のバラツキが顕著となる。
【０００８】
そのため、第１反射領域ｃと第２反射領域ｄとが重なる領域において、第１反射パターン５の配置密度および第２反射パターン６の配置密度に粗密が生じ、その結果、導光板１０４の光出射面１４５に「ＯＰＥＮ」または「ＣＬＯＳＥ」の文字領域を発光させた際にザラツキが発生するという課題がある。
【０００９】
本発明は、上記従来の課題に鑑みてなされたものであって、その目的は、光出射面の任意の発光領域を選択的に発光させる導光体において、発光領域同士が互いに重なる領域における発光時のザラツキを抑制可能な導光体を提供することにある。
【課題を解決するための手段】
【００１０】
上記課題を解決するために、本発明に係る導光体は、光出射面の側方から入射した光を導光して該光出射面から出射させる導光体であって、第１光源から入射した光を前記光出射面へ向けて反射する複数の第１反射構造体が、前記光出射面の面内方向へ列状に配置された第１反射列と、前記第１光源とは光軸方向が異なる第２光源から入射した光を前記光出射面へ向けて反射する複数の第２反射構造体が、前記光出射面の面内方向へ列状に配置された第２反射列とを含み、前記第１反射列と前記第２反射列とは、互いに略平行に並んで配置されており、少なくとも１つの前記第１反射列が、前記第２反射列の間に挟まれていることを特徴としている。
【００１１】
上記の構成では、第１反射列および第２反射列を形成するように第１反射構造体および第２反射構造体を配置することにより、例えば第１反射構造体および第２反射構造体の長さ（すなわち、光出射面の面内方向における反射面の幅）を大きくした場合であっても、第１反射構造体同士の配置間隔および第２反射構造体同士の配置間隔にバラツキが生じにくく、離散的になることを抑制することが可能となる。
【００１２】
したがって、上記の構成によれば、発光領域同士が互いに重なる領域における発光時のザラツキを抑制可能な導光体を実現することができる。
【００１３】
また、本発明に係る導光体では、前記第１反射列と前記第２反射列とは、所定の順番で、周期的に配置されていてもよい。
【００１４】
上記の構成では、第１反射列と第２反射列とが、所定の順番で、周期的に配置されているため、例えば、第２反射列の間に、第１反射列が１つ飛ばしや２つ飛ばしで周期的に配置される。
【００１５】
したがって、上記の構成によれば、例えば第１反射構造体と第２反射構造体との配置密度が異なる場合であっても、第１反射構造体同士の配置間隔および第２反射構造体同士の配置間隔にバラツキを生じにくくすることができる。
【００１６】
また、本発明に係る導光体では、前記第１反射列と前記第２反射列とは、交互に配置されていてもよい。
【００１７】
上記の構成によれば、第１反射構造体同士の配置間隔および第２反射構造体同士の配置間隔を均等化しやくなるため、発光領域同士が互いに重なる領域における発光時のザラツキを効果的に抑制することができる。
【００１８】
また、本発明に係る導光体では、前記光出射面の鉛直方向から見た場合、前記第１反射構造体および前記第２反射構造体は、長手方向を有する形状であってもよい。
【００１９】
上述のとおり、第１反射構造体および第２反射構造体を千鳥状に交互に配置する従来の構成では、第１反射構造体および第２反射構造体の長さを大きくした場合、すなわち、第１反射構造体および第２反射構造体が長手方向を有する形状である場合、第１反射構造体同士の配置間隔および第２反射構造体同士の配置間隔にバラツキが生じやすい。
【００２０】
しかしながら、上記の構成では、第１反射構造体および第２反射構造体が長手方向を有する形状である場合であっても、第１反射構造体同士の配置間隔および第２反射構造体同士の配置間隔にバラツキが生じにくく、離散的になることを抑制することができる。
【００２１】
したがって、上記の構成によれば、長手方向を有する形状の第１反射構造体および第２反射構造体が配置された導光体において、発光領域同士が互いに重なる領域における発光時のザラツキを好適に抑制することができる。
【００２２】
また、本発明に係る導光体では、前記第１反射列における各第１反射構造体は、該第１反射構造体の長手方向が互いに略平行になるように配置さており、前記第２反射列における各第２反射構造体は、該第２反射構造体の長手方向が互いに略平行になるように配置されていてもよい。
【００２３】
上記の構成によれば、第１反射列に配置された第１反射構造体によって、第１光源から入射した光を光出射面に設定された所定の発光領域へ向けて好適に反射することができる。また、第２反射列に配置された各第２反射構造体によって、第２光源から入射した光を光出射面に設定された所定の発光領域へ向けて好適に反射することができる。
【００２４】
また、本発明に係る導光体では、前記第１反射構造体は、該第１反射構造体の長手方向が前記第１反射列の延伸方向と一致する向きに配置されており、前記第２反射構造体は、該第２反射構造体の長手方向が前記第２反射列の延伸方向と直交する向きに配置されていてもよい。
【００２５】
上記の構成では、第１反射列に配置された第１反射構造体と第２反射列に配置された第２反射構造体とは、約９０度の角度をなして配置される。
【００２６】
したがって、上記の構成によれば、第１反射構造体によって反射された第１光源から入射した光を出射させる光出射面に設定された所定の発光領域と、第２反射構造体によって反射された第２光源から入射した光を出射させる光出射面に設定された所定の発光領域との光分けを好適に行うことができる。
【００２７】
上記課題を解決するために、本発明に係る導光体は、光出射面の側方から入射した光を導光して該光出射面から出射させる導光体であって、第１光源から入射した光を屈折させて前記光出射面から出射させる複数の第１屈折構造体が、前記光出射面の面内方向へ列状に配置された第１屈折列と、前記第１光源とは光軸方向が異なる第２光源から入射した光を屈折させて前記光出射面から出射させる複数の第２屈折構造体が、前記光出射面の面内方向へ列状に配置された第２屈折列とを含み、前記第１屈折列と前記第２屈折列とは、互いに略平行に並んで配置されており、少なくとも１つの前記第１屈折列が、前記第２屈折列の間に挟まれていることを特徴としている。
【００２８】
上記の構成では、第１屈折列および第２屈折列を形成するように第１屈折構造体および第２屈折構造体を配置することにより、例えば第１屈折構造体および第２屈折構造体の長さ（すなわち、光出射面の面内方向における屈折面の幅）を大きくした場合であっても、第１屈折構造体同士の配置間隔および第２屈折構造体同士の配置間隔にバラツキが生じにくく、離散的になることを抑制することが可能となる。
【００２９】
上記の構成によれば、入射した光を屈折させることにより光出射面から出射させる導光体において、発光領域同士が互いに重なる領域における発光時のザラツキを抑制可能な導光体を実現することができる。
【００３０】
また、本発明に係る導光体では、前記第１屈折列と前記第２屈折列とは、所定の順番で、周期的に配置されていてもよい。
【００３１】
上記の構成では、第１屈折列と第２屈折列とが、所定の順番で、周期的に配置されているため、例えば、第２屈折列の間に、第１屈折列が１つ飛ばしや２つ飛ばしで周期的に配置される。
【００３２】
したがって、上記の構成によれば、例えば第１屈折構造体と第２屈折構造体との配置密度が異なる場合であっても、第１屈折構造体同士の配置間隔および第２屈折構造体同士の配置間隔にバラツキを生じにくくすることができる。
【００３３】
また、本発明に係る導光体では、前記第１屈折列と前記第２屈折列とは、交互に配置されていてもよい。
【００３４】
上記の構成によれば、第１屈折構造体同士の配置間隔および第２屈折構造体同士の配置間隔を均等化しやくなるため、発光領域同士が互いに重なる領域における発光時のザラツキを効果的に抑制することができる。
【００３５】
また、本発明に係る導光体では、前記光出射面の鉛直方向から見た場合、前記第１屈折構造体および前記第２屈折構造体は、長手方向を有する形状であってもよい。
【００３６】
上述のとおり、第１屈折構造体および第２屈折構造体を千鳥状に交互に配置する従来の構成では、第１屈折構造体および第２屈折構造体の長さを大きくした場合、すなわち、第１屈折構造体および第２屈折構造体が長手方向を有する形状である場合、第１屈折構造体同士の配置間隔および第２屈折構造体同士の配置間隔にバラツキが生じやすい。
【００３７】
しかしながら、上記の構成では、第１屈折構造体および第２屈折構造体が長手方向を有する形状である場合であっても、第１屈折構造体同士の配置間隔および第２屈折構造体同士の配置間隔にバラツキが生じにくく、離散的になることを抑制することができる。
【００３８】
したがって、上記の構成によれば、長手方向を有する形状の第１屈折構造体および第２屈折構造体が配置された導光体において、発光領域同士が互いに重なる領域における発光時のザラツキを好適に抑制することができる。
【００３９】
また、本発明に係る導光体では、前記第１屈折列における各第１屈折構造体は、該第１屈折構造体の長手方向が互いに略平行になるように配置さており、前記第２屈折列における各第２屈折構造体は、該第２屈折構造体の長手方向が互いに略平行になるように配置されていてもよい。
【００４０】
上記の構成によれば、第１屈折列に配置された第１屈折構造体によって、第１光源から入射した光を光出射面に設定された所定の発光領域へ向けて好適に屈折させることができる。また、第２屈折列に配置された各第２屈折構造体によって、第２光源から入射した光を光出射面に設定された所定の発光領域へ向けて好適に屈折させることができる。
【００４１】
また、本発明に係る導光体では、前記第１屈折構造体は、該第１屈折構造体の長手方向が前記第１屈折列の延伸方向と一致する向きに配置されており、前記第２屈折構造体は、該第２屈折構造体の長手方向が前記第２屈折列の延伸方向と直交する向きに配置されていてもよい。
【００４２】
上記の構成では、第１屈折列に配置された第１屈折構造体と第２屈折列に配置された第２屈折構造体とは、約９０度の角度をなして配置される。
【００４３】
したがって、上記の構成によれば、第１屈折構造体によって屈折させた第１光源から入射した光を出射させる光出射面に設定された所定の発光領域と、第２屈折構造体によって屈折させた第２光源から入射した光を出射させる光出射面に設定された所定の発光領域との光分けを好適に行うことができる。
【００４４】
上記課題を解決するために、本発明に係る発光装置は、本発明に係る導光体と、前記導光体へ光を入射させる第１光源と、前記導光体へ光を入射させる、前記第１光源とは光軸方向が異なる第２光源と、を備えることを特徴としている。
【００４５】
上記の構成では、導光体に配置される第１反射構造体および第２反射構造体の長さ（すなわち、光出射面の面内方向における反射面の幅）を大きくした場合であっても、第１反射構造体同士の配置間隔および第２反射構造体同士の配置間隔にバラツキが生じにくく、離散的になることを抑制することができる。
【００４６】
また、上記の構成では、導光体に配置される第１屈折構造体および第２屈折構造体の長さ（すなわち、光出射面の面内方向における屈折面の幅）を大きくした場合であっても、第１屈折構造体同士の配置間隔および第２屈折構造体同士の配置間隔にバラツキが生じにくく、離散的になることを抑制することができる。
【００４７】
したがって、上記の構成によれば、発光領域同士が互いに重なる領域における発光時のザラツキを抑制可能な発光装置を実現することができる。
【００４８】
また、本発明に係る発光装置では、前記光出射面に対して略平行に設けられた拡散部材をさらに備えていてもよい。
【００４９】
上記の構成によれば、発光装置から出射される光の均一性を効果的に向上させることができる。
【発明の効果】
【００５０】
本発明によれば、光出射面の任意の発光領域を選択的に発光させる導光体において、発光領域同士が互いに重なる領域における発光時のザラツキを抑制可能な導光体を提供することができるという効果を奏する。
【図面の簡単な説明】
【００５１】
【図１】実施の形態１に係る導光板を備える発光装置を示す平面図である。
【図２】図１に示される導光板の発光状態を示す平面図であり、（ａ）は、第１光源を点灯させた場合の発光状態を示し、（ｂ）は、第２光源を点灯させた場合の発光状態を示している。
【図３】（ａ）は、導光板に形成された第１反射パターンを示す断面図であり、（ｂ）は、導光板に形成された第２反射パターンを示す断面図である。
【図４】（ａ）は、図２の（ａ）および（ｂ）に示される破線枠の内部における第１反射パターンおよび第２反射パターンの配置例を示す上面図であり、（ｂ）は、（ａ）に示される第１反射パターンおよび第２反射パターンの配置密度を相対的に大きくした場合の配置例を示している。
【図５】（ａ）は、第１発光領域の輝度分布を示すグラフであり、（ｂ）は、第２発光領域の輝度分布を示すグラフである。
【図６】（ａ）は、第１反射領域に配置された第１反射パターンを示す断面図であり、（ｂ）は、第２反射領域に配置された第２反射パターンを示す断面図である。
【図７】（ａ）は、第１反射パターンの変形例を示す斜視図であり、（ｂ）は、（ａ）に示される第１反射パターンの平面図であり、（ｃ）は、（ａ）に示される第１反射パターンの側面図である。
【図８】（ａ）は、第１反射パターンおよび第２反射パターンの配置例を示す上面図であり、（ｂ）は、（ａ）に示される第１反射パターンおよび第２反射パターンの配置密度を相対的に大きくした場合の配置例を示している。
【図９】実施の形態２に係る照光式押しボタンスイッチの外観を示す分解斜視図である。
【図１０】図９に示される照光式押しボタンスイッチの照光状態を示す平面図であり、（ａ）は、第１光源を点灯させた場合の照光状態を示し、（ｂ）は、第２光源を点灯させた場合の照光状態を示している。
【図１１】（ａ）は、従来の発光装置を示す平面図であり、（ｂ）は、（ａ）に示される破線枠の内部における第１反射パターンおよび第２反射パターンの配置を示す上面図である。
【発明を実施するための形態】
【００５２】
〔実施の形態１〕
以下、本発明の実施の形態について、図１〜図９に基づいて説明すれば以下のとおりである。本実施の形態では、本発明に係る導光体を備える発光装置の一例について説明する。
【００５３】
［発光装置１の構成］
図１は、本実施の形態に係る導光板（導光体）４を備える発光装置１を示す平面図である。この発光装置１は、例えばエレベータの乗り場の壁面に取り付けられたエレベータ用の操作パネルに設けられる照光式押しボタンスイッチなど、各種面発光装置として利用されるものである。
【００５４】
図１に示すように、発光装置１は、第１光源２、第２光源３、および導光板４を備えている。
【００５５】
（第１光源２）
第１光源２は、導光板４の互いに対向する２つの側面４１・４２へ光Ｌ１を入射させる発光素子である。第１光源２は、導光板４の側面４１・４２の中央部に各１つ配置されており、第１光源２から出射された光Ｌ１は、側面４１・４２から導光板４へ入射する。
【００５６】
（第２光源３）
第２光源３は、第１光源２が配置される２つの側面４１・４２と直交する導光板４の側面４３へ光Ｌ２を入射させる発光素子である。第２光源３は、導光板４の側面４３に沿って複数配置されており、各第２光源３から出射された光Ｌ２は、側面４３から導光板４へ入射する。
【００５７】
第１光源２が配置される導光板４の２つの側面４１・４２と、第２光源３が配置される導光板４の側面４３とは、約９０度の角度をなして互いに隣り合っている。第１光源２は、側面４１・４２に対して光軸が直交する向きで配置されており、第２光源３は、側面４３に対して光軸が直交する向きで配置されている。そのため、第１光源２から出射される光Ｌ１と第２光源３から出射される光Ｌ２とは、導光板４に対して略直行する方向からそれぞれ入射する。
【００５８】
第１光源２および第２光源３の種類は、特に限定されるものではないが、例えばＬＥＤ（Light Emitting Diode：発光ダイオード）などを好適に用いることができる。
【００５９】
また、配置される第１光源２および第２光源３の数および位置についても特に限定されない。例えば、導光板４の側面４１・４２に対して複数の第１光源２が配置されていてもよい。また、側面４３と対向する導光板４の側面４４に沿って複数の第２光源３がさらに配置されていてもよい。
【００６０】
（導光板４）
導光板４は、第１光源２から入射した光Ｌ１および第２光源３から入射した光Ｌ２を導光して、光出射面４５から出射する導光部材である。導光板４は、光を全反射する材料（例えばポリカーボネート、アクリル樹脂など）が板状に成形された透明性を有する材料から構成されている。
【００６１】
図２は、導光板４の発光状態を示す平面図であり、図２の（ａ）は、第１光源２を点灯させた場合の発光状態を示し、図２の（ｂ）は、第２光源３を点灯させた場合の発光状態を示している。
【００６２】
図２の（ａ）に示すように、第１光源２のみを点灯させた場合、導光板４の対向する２つの側面４１・４２から入射した光Ｌ１は、導光板４の光出射面４５および裏面４６で全反射しながら導光板４内を伝播して、導光板４の光出射面４５の中央部に設定された円形の第１発光領域Ａから出射する。また、図２の（ｂ）に示すように、第２光源３のみを点灯させた場合、導光板４の側面４３から入射した光Ｌ２は、導光板４の光出射面４５および裏面４６で全反射しながら導光板４内を伝播して、導光板４の光出射面４５の全面に設定された矩形の第２発光領域Ｂから出射する。
【００６３】
したがって、第１光源２および第２光源３の点灯を切り替えることによって、光出射面４５に設定された第１発光領域Ａと第２発光領域Ｂとを選択的に発光させることができる。
【００６４】
図３の（ａ）は、導光板４に形成された第１反射パターン５を示す断面図であり、図３の（ｂ）は、導光板４に形成された第２反射パターン６を示す断面図である。
【００６５】
図３の（ａ）に示すように、導光板４の裏面４６には、第１発光領域Ａに対応する第１反射領域ａに、第１光源２から入射して導光板４内を伝播した光Ｌ１を第１発光領域Ａへ向けて反射させる第１反射パターン（第１反射構造体）５が複数形成されている。
【００６６】
この第１反射パターン５は、導光板４の対向する２つの側面４１・４２から入射した第１光源２からの光Ｌ１を第１発光領域Ａへ向けて反射する傾斜した反射面５１を有している。
【００６７】
なお、第１反射パターン５は、光出射面４５の鉛直方向から見たとき、第１光源２からの光Ｌ１を反射する反射面５１の両端を結ぶ直線と、第１光源２と該直線の中心と結ぶ直線とが、略直交するように配置されていることが好ましい。これにより、第１光源２から入射した光Ｌ１を第１反射パターン５の反射面５１によって光出射面４５へ向けて適切に反射することができる。
【００６８】
また、図３の（ｂ）に示すように、導光板４の裏面４６には、第２発光領域Ｂに対応する第２反射領域ｂに、第２光源３から入射して導光板４内を伝播した光Ｌ２を第２発光領域Ｂへ向けて反射させる第２反射パターン（第２反射構造体）６が複数形成されている。
【００６９】
この第２反射パターン６は、導光板４の側面４３から入射した第２光源３からの光Ｌ２を第２発光領域Ｂへ向けて反射する傾斜した反射面６１を有している。
【００７０】
なお、第２反射パターン６は、光出射面４５の鉛直方向から見たとき、第２光源３からの光Ｌ２を反射する反射面６１の両端を結ぶ直線と、第２光源３と該直線の中心と結ぶ直線とが、略直交するように配置されていることが好ましい。これにより、第２光源３から入射した光Ｌ２を第２反射パターン６の反射面６１によって光出射面４５へ向けて適切に反射することができる。
【００７１】
本実施の形態では、第１反射パターン５として、導光板４の裏面４６に対して鉛直であり、かつ光Ｌ１の導光方向に平行な断面の断面形状が略二等辺三角形状（逆Ｖ字状）をなし、当該断面に対して鉛直な方向に沿って直線的に延伸するように裏面４６を切り欠いた長手方向を有する溝を形成している。
【００７２】
また、第２反射パターン６として、導光板４の裏面４６に対して鉛直であり、かつ光Ｌ２の導光方向に平行な断面の断面形状が略二等辺三角形状（逆Ｖ字状）をなし、当該断面に対して鉛直な方向に沿って直線的に延伸するように裏面４６を切り欠いた長手方向を有する溝を形成している。
【００７３】
なお、第１反射パターン５および第２反射パターン６は、導光板４の裏面４６を切り欠くことによって形成された凹部状のパターンに限られず、導光板４の裏面４６から外側に突出するように形成されていてもよい。
【００７４】
また、第１反射パターン５および第２反射パターン６は、導光板４と一体的に設けられる構成に限られず、例えば導光板４の裏面４６に取り付けられるものであってもよい。この場合、第１反射パターン５および第２反射パターン６は、光を全反射させる材料からなるものであってもよい。これにより、第１反射パターン５および第２反射パターン６による光の反射効率を向上させることができる。
【００７５】
［導光板４の詳細］
（各反射パターンの配置）
図４の（ａ）は、図２の（ａ）および（ｂ）に示される破線枠Ｓの内部における第１反射パターン５および第２反射パターン６の配置例を示す上面図であり、図４の（ｂ）は、図４の（ａ）に示される第１反射パターン５および第２反射パターン６の配置密度を相対的に大きくした場合の配置例を示している。
【００７６】
図４の（ａ）に示すように、第１反射領域ａと第２反射領域ｂとが重なる領域には、第１反射パターン５および第２反射パターン６の双方が配置される。
【００７７】
ここで、導光板４では、第１反射領域ａと第２反射領域ｂとが重なる領域において、第１反射パターン５および第２反射パターン６は、複数の第１反射パターン５が光出射面４５の面内方向へ列状に配置された第１反射列Ｒ１と、複数の第２反射パターン６が光出射面４５の面内方向へ列状に配置された第２反射列Ｒ２とを形成するように、それぞれ配置されている。具体的には、第１反射列Ｒ１と第２反射列Ｒ２とは、第２光源３の光軸方向に沿って略平行に延伸しており、かつ第１光源２の光軸方向に沿って交互に並んでいる。
【００７８】
このように第１反射パターン５および第２反射パターン６を配置することにより、長手方向を有する形状の第１反射パターン５および第２反射パターン６を導光板４に配置した場合であっても、第１反射パターン５同士の配置間隔および第２反射パターン６同士の配置間隔にバラツキが生じにくく、離散的になることを抑制することができる。
【００７９】
また、図４の（ｂ）に示すように、第１反射領域ａと第２反射領域ｂとが重なる領域における第１反射パターン５および第２反射パターン６の配置密度を大きくした場合であっても、第１反射パターン５同士の配置間隔および第２反射パターン６同士の配置間隔にバラツキが生じにくくなるので、第１反射パターン５同士の配置間隔および第２反射パターン６同士の配置間隔が離散的になることを抑制することができる。
【００８０】
したがって、第１反射領域ａと第２反射領域ｂとが重なる領域において、第１反射パターン５の配置密度および第２反射パターン６の配置密度に粗密が生じにくくなるので、第１発光領域Ａおよび第２発光領域Ｂの発光時におけるザラツキを抑制することができる。
【００８１】
なお、第１反射列Ｒ１における各第１反射パターン５は、該第１反射パターン５の長手方向が互いに略平行になるように配置さていることが好ましい。同様に、第２反射列Ｒ２における各第２反射パターン６は、該第２反射パターン６の長手方向が互いに略平行になるように配置されていることが好ましい。これにより、第１反射列Ｒ１に配置された各第１反射パターン５によって、第１光源２からの光Ｌ１を第１発光領域Ａへ向けて好適に反射することができる。また、第２反射列Ｒ２に配置された各第２反射パターン６によって、第２光源３からの光Ｌ２を第２発光領域Ｂへ向けて好適に反射することができる。
【００８２】
また、第１反射パターン５は、該第１反射パターン５の長手方向が第１反射列Ｒ１の延伸方向と一致する向きに配置されており、第２反射パターン６は、該第２反射パターン６の長手方向が第２反射列Ｒ２の延伸方向と直交する向きに配置されていることが好ましい。これにより、第１反射パターン５と第２反射パターン６とが約９０度の角度をなして配置されるため、第１発光領域Ａと第２発光領域Ｂとの光分けを好適に行うことができる。
【００８３】
また、第２反射列Ｒ２の間に、第１反射列Ｒ１が１つ飛ばしや２つ飛ばしで周期的に配置されていてもよい。これにより、第１反射パターン５と第２反射パターン６との配置密度が異なる場合であっても、第１反射パターン５同士の配置間隔および第２反射パターン６の配置間隔にバラツキが生じにくくすることができる。
【００８４】
（各発光領域の輝度分布）
三角プリズム型の第１反射パターン５および第２反射パターン６を射出成形で導光板４に形成した場合、第１反射パターン５の側面５２および第２反射パターン６の側面６２がシャープなエッジにならずダレが生じる。そのため、例えば第２光源３を点灯させた場合、第１反射パターン５の側面５２で光Ｌ２の一部が反射して迷光となる。
【００８５】
そして、従来、第２光源３と導光板４との間に位置ずれが生じた場合、第２発光領域Ｂを発光させた際に、第１発光領域Ａの境界線Ａ’付近に迷光による輝線が生じていた。このような輝線の発生を抑制するために、導光板４では、第１反射領域ａの反射量を、該第１反射領域ａの境界線ａ’に近づくにつれて徐々に減衰させている。
【００８６】
図５の（ａ）は、第１発光領域Ａの輝度分布を示すグラフであり、図５の（ｂ）は、第２発光領域Ｂの輝度分布を示すグラフである。
【００８７】
なお、図５の（ａ）に示す実線は、第１光源２を点灯させた場合の第１発光領域Ａの輝度を示しており、図５の（ａ）に示す破線は、第２光源３を点灯させた場合の第２発光領域Ｂの輝度を示すものであって、光Ｌ１を反射させるための第１反射パターン５の側面５２で光Ｌ２が反射することによって生じる迷光の輝度分布を示している。
【００８８】
また、図５の（ｂ）に示す実線は、第２光源３を点灯させた場合の第２発光領域Ｂの輝度分布を示している。
【００８９】
図５の（ａ）に示すように、第１反射領域ａの反射量を該第１反射領域ａの境界線ａ’に近づくにつれて徐々に減衰させた場合、第１光源２を点灯させたときの第１発光領域Ａの輝度も該第１発光領域Ａの境界線Ａ’に近づくにつれて徐々に減衰する。
【００９０】
また、第１反射領域ａの反射量を該第１反射領域ａの境界線ａ’に近づくにつれて徐々に減衰させた場合、第２光源３を点灯させたときに生じる迷光の輝度も該第１発光領域Ａの境界線Ａ’に近づくにつれて徐々に低減する。
【００９１】
したがって、第１反射領域ａの反射量を該第１反射領域ａの境界線ａ’に近づくにつれて徐々に減衰させることによって、第２光源３を点灯させた場合に、第１発光領域Ａの境界線Ａ’付近に迷光に起因する輝線が生じることを抑制することができる。
【００９２】
なお、図５の（ｂ）に示すように、迷光の光量分（図５の（ａ）の破線）だけ減じられるように、第１発光領域Ａと重なる部分の第２発光領域Ｂの輝度が第１発光領域Ａの境界線Ａ’からに離れるにつれて徐々に低減していることが好ましい。これにより、第２発光領域Ｂの輝度を均一にすることができる。
【００９３】
図６の（ａ）は、第１反射領域ａに配置された第１反射パターン５を示す断面図であり、図６の（ｂ）は、第２反射領域ｂに配置された第２反射パターン６を示す断面図である。
【００９４】
図６の（ａ）に示すように、図５の（ａ）に示す第１発光領域Ａの輝度分布を得るために、導光板４では、第１光源２の光軸方向における第１反射パターン５の幅（或いは、光出射面４５の鉛直方向から見たときの第１反射パターン５の面積）ｄ１を一定に維持しつつ、第１反射領域ａの境界線ａ’に近づくにつれて光出射面４５の鉛直方向における高さが徐々に低くなるように、複数の第１反射パターン５が配置されている。
【００９５】
これにより、第１反射領域ａの境界線ａ’に近づくにつれて反射面５１の傾斜角度および反射面５１の面積が徐々に小さくなるため、境界線ａ’に近づくにつれて第１反射領域ａの反射量を好適に減衰させることができる。
【００９６】
ただし、第１反射領域ａの境界線ａ’に近づくにつれて、第１反射パターン５の配置密度または寸法を徐々に減少させることによって、境界線ａ’に近づくにつれて第１反射領域ａの反射量を減衰させてもよい。
【００９７】
また、図６の（ｂ）に示すように、図５の（ｂ）に示す第２発光領域Ｂの輝度分布を得るために、導光板４では、第２光源３の光軸方向における第２反射パターン６の幅（或いは、光出射面４５の鉛直方向から見たときの第２反射パターン６の面積）ｄ２を一定に維持しつつ、第１反射領域ａの境界線ａ’から離れるにつれて光出射面４５の鉛直方向における高さが徐々に低くなるように、複数の第２反射パターン６が配置されている。
【００９８】
これにより、第１反射領域ａの境界線ａ’から離れるにつれて反射面５１の傾斜角度および反射面５１の面積が徐々に小さくなるため、該境界線ａ’から離れるにつれて第２反射領域ｂの反射量を好適に減衰させることができる。
【００９９】
このように第１反射パターン５および第２反射パターン６を配置することにより、図５の（ａ）および（ｂ）に示す第１発光領域Ａの輝度分布および第２発光領域Ｂの輝度分布を好適に得ることができる。
【０１００】
［発光装置１の効果］
以上のように、本実施の形態に係る発光装置１は、第１光源２から入射した光Ｌ１を光出射面４５へ向けて反射する第１反射領域ａと、第１光源２とは光軸方向が異なる第２光源３から入射した光Ｌ２を光出射面４５へ向けて反射する第２反射領域ｂとを含む導光板４を備えている。
【０１０１】
導光板４は、光Ｌ１を光出射面４５に設定された第１発光領域Ａへ向けて反射する複数の第１反射パターン５が、光出射面４５の面内方向へ列状に配置された第１反射列Ｒ１と、光Ｌ１とは異なる方向から入射した光Ｌ２を光出射面４５に設定された第１発光領域Ａへ向けて反射する複数の第２反射パターン６が、光出射面４５の面内方向へ列状に配置された第２反射列とを含み、第１反射列Ｒ１と第２反射列Ｒ２とは、互いに略平行に並んで配置されており、少なくとも１つの第１反射列Ｒ１が、第２反射列Ｒ２の間に挟まれている。
【０１０２】
導光板４では、第１反射列Ｒ１および第２反射列Ｒ２を形成するように第１反射パターンおよび第２反射パターンを配置することにより、第１反射パターン５および第２反射パターン６の長さ（すなわち、光出射面４５の面内方向における反射面５１・６２の幅）を大きくした場合であっても、第１反射パターン５同士の配置間隔および第２反射パターン６同士の配置間隔にバラツキが生じにくいため、離散的になることを抑制することができる。
【０１０３】
したがって、本実施の形態によれば、第１発光領域Ａと第２発光領域Ｂとが互いに重なる領域における発光時のザラツキを抑制可能な発光装置１を実現することができる。
【０１０４】
［変形例］
（変形例１）
上述の説明では、第１反射パターン５および第２反射パターン６として、導光板４の裏面４６に三角プリズム型のパターンを形成した構成について説明したが、第１反射パターン５および第２反射パターン６の形状は等に限定されない。例えば、第１反射パターン５および第２反射パターン６は、導光板４の光出射面４５の鉛直方向から見たときの形状が紡錘形状のパターンであってもよい。
【０１０５】
図７の（ａ）は、第１反射パターン５ａの斜視図であり、図７の（ｂ）は、第１反射パターン５ａの平面図であり、図７の（ｃ）は、第１反射パターン５ａの側面図である。
【０１０６】
図７の（ａ）〜（ｃ）に示すように、第１反射パターン５ａは、導光板４の光出射面４５の鉛直方向から見たとき、第１光源２の光軸方向Ｄ１と直交する方向に尖形の突端部５３が位置するように配置される。
【０１０７】
この第１反射パターン５ａは、第１光源２の光軸方向Ｄ１と、突端部５３における反射面５１の法線方向Ｄ２とのなす角度αが−３８．３２７ｘ２＋１５２．３ｘ−９４．０１４（ｘは導光板４の屈折率）以下であることが好ましい。
【０１０８】
このような第１反射パターン５ａを導光板４に形成することにより、第１反射パターン５ａの突端部５３に第２光源３からの光Ｌ２が反射することを抑制することが可能となる。
【０１０９】
図８の（ａ）は、第１反射パターン５ａおよび第２反射パターン６ａの配置例を示す上面図であり、図８の（ｂ）は、図８の（ａ）に示される第１反射パターン５ａおよび第２反射パターン６ａの配置密度を相対的に大きくした場合の配置例を示している。
【０１１０】
図８の（ａ）に示すように、第１反射領域ａと第２反射領域ｂとが重なる領域には、導光板４の光出射面４５の鉛直方向から見たときの形状が紡錘形状である第１反射パターン５ａおよび第２反射パターン６ａの双方が配置される。
【０１１１】
このような尖形の突端部５３を有する紡錘形の第１反射パターン５ａおよび第２反射パターン６ａを導光板４に配置する場合であっても、第１反射列Ｒ１および第２反射列Ｒ２が形成されるように、第１反射パターン５ａおよび第２反射パターン６ａを配置することが好ましい。
【０１１２】
これにより、例えば図８の（ｂ）に示すように、第１反射パターン５ａおよび第２反射パターン６ａの配置密度を大きくした場合であっても、第１反射パターン５ａ同士の配置間隔および第２反射パターン６ａ同士の配置間隔にバラツキが生じにくく、離散的になることを抑制することができる。
【０１１３】
したがって、第１反射領域ａと第２反射領域ｂとが重なる領域において、第１反射パターン５ａの配置密度および第２反射パターン６ａの配置密度に粗密が生じにくくなるので、第１発光領域Ａおよび第２発光領域Ｂの発光時のザラツキを抑制することができる。
【０１１４】
（変形例２）
また、上述の説明では、導光板４の裏面４６に形成した第１反射パターン５および第２反射パターン６によって光Ｌ１・Ｌ２を反射させることにより光出射面４５から出射させる構成について説明したが、光Ｌ１・Ｌ２を屈折させることにより光出射面４５から出射させる構成であってもよい。
【０１１５】
光Ｌ１・Ｌ２を屈折型の導光板（導光体）は、第１光源２から入射した光Ｌ１を屈折させて光出射面４５から出射させる複数の第１屈折構造体が配置された第１屈折領域と、第２光源３から入射した光Ｌ２を屈折させて光出射面４５から出射させる複数の第２屈折構造体が配置された第２屈折領域とを含み、光出射面４５の鉛直方向から見たとき、第１屈折領域の少なくとも一部が前記第２屈折領域と重なっており、第２屈折領域内に位置する第１屈折領域の境界線の内縁部において、第１屈折領域で屈折して光出射面４５から出射する光量は、境界線に近づくにつれて徐々に減衰していていればよい。
【０１１６】
このように、第２屈折領域内に位置する第１屈折領域の境界線の内縁部において、第１屈折領域で屈折して光出射面４５から出射する光量が該境界線に近づくにつれて徐々に減衰するように、複数の第１屈折構造体を配置することにより、第２光源３から入射した光Ｌ２の一部が第１屈折構造体の端部で屈折することによって生じる迷光の発生量を該境界線に近づくにつれて減少させることが可能となる。
【０１１７】
これにより、第１屈折領域で屈折させた光を出射させる光出射面４５に設定された発光領域の境界線付近に、迷光に起因する輝線が発生することを抑制することができる。
【０１１８】
また、屈折型の導光板では、第２屈折領域内に位置する第１屈折領域の境界線の内縁部に配置された複数の第１屈折構造体は、光出射面４５の鉛直方向から見たときの面積を維持しつつ、該境界線に近づくにつれて光出射面４５の鉛直方向における高さが徐々に低くなっていてもよい。これにより、第１屈折構造体の屈折面の傾斜角度および面積の双方を変化させることによって、第１屈折領域で屈折して光出射面４５から出射する光量を好適に減衰させることができる。
【０１１９】
また、屈折型の導光板では、第２屈折領域内に位置する第１屈折領域の境界線の内縁部に配置された複数の第１屈折構造体は、該境界線に近づくにつれて配置密度が徐々に減少していてもよい。これにより、同一寸法の第１屈折構造体の配置密度を変化させることによって、第１屈折領域で屈折して光出射面４５から出射する光量を減衰させることができる。
【０１２０】
また、屈折型の導光板では、第２屈折領域内に位置する第１屈折領域の境界線の内縁部に配置された複数の第１屈折構造体は、該境界線に近づくにつれて寸法が徐々に小さくなっていてもよい。これにより、第１屈折構造体の屈折面の面積を変化させることによって、第１屈折領域で屈折して光出射面４５から出射する光量を減衰させることができる。
【０１２１】
また、屈折型の導光板では、光出射面４５の鉛直方向から見たとき、第１屈折領域の全部が、第２屈折領域と重なっていてもよい。このような場合であっても、第１屈折領域の境界線の内縁部において、第１屈折領域で屈折して光出射面４５から出射する光量が該境界線に近づくにつれて徐々に減衰するように複数の第１屈折構造体を配置することにより、迷光の発生量を該境界線に近づくにつれて減少させることが可能となる。
【０１２２】
また、屈折型の導光板では、第２屈折領域内に位置する第１屈折領域の境界線の内縁部における第２屈折領域で屈折して光出射面４５から出射する光量は、該境界線から離れるにつれて徐々に減衰していてもよい。これにより、第２屈折領域で屈折させた光を出射させる光出射面４５に設定された発光領域の輝度を均一にすることができる。
【０１２３】
また、屈折型の導光板では、光出射面４５の鉛直方向から見たとき、第１屈折構造体は、第１光源２から入射した光Ｌ１を屈折させる屈折面の両端を結ぶ直線と、第１光源２と該直線の中心とを結ぶ直線とが、略直交するように配置されており、第２屈折構造体は、第２光源３から入射した光Ｌ３を屈折させる屈折面の両端を結ぶ直線と、第２光源３および該直線の中心を結ぶ直線とが略直交するように配置されていてもよい。これにより、第１光源２から入射した光Ｌ１を第１屈折構造体によって光出射面４５へ向けて適切に屈折させることができ、かつ第２光源３から入射した光Ｌ２を第２屈折構造体によって光出射面４５へ向けて適切に屈折させることができる。
【０１２４】
さらに、光Ｌ１・Ｌ２を屈折型の導光板（導光体）は、第１光源２から入射した光Ｌ１を屈折させて光出射面４５から出射させる複数の第１屈折構造体が、光出射面４５の面内方向へ列状に配置された第１屈折列と、第１光源２とは光軸方向が異なる第２光源３から入射した光ｌ２を屈折させて光出射面４５から出射させる複数の第２屈折構造体が、光出射面４５の面内方向へ列状に配置された第２屈折列とを含み、第１屈折列と第２屈折列とは、互いに略平行に並んで配置されており、少なくとも１つの前記第１屈折列が、第２屈折列の間に挟まれていればよい。
【０１２５】
このように、第１屈折列および第２屈折列を形成するように第１屈折構造体および第２屈折構造体を配置することにより、第１屈折構造体同士の配置間隔および第２屈折構造体同士の配置間隔にバラツキが生じにくく、離散的になることを抑制することが可能となる。
【０１２６】
これにより、第１屈折領域と第２屈折領域とが重なる領域における発光時のザラツキを抑制することができる。
【０１２７】
また、屈折型の導光板では、前記第１屈折列と前記第２屈折列とは、所定の順番で、周期的に配置されていてもよい。これにより、例えば第１屈折構造体と第２屈折構造体との配置密度が異なる場合であっても、第１屈折構造体同士の配置間隔および第２屈折構造体同士の配置間隔にバラツキを生じにくくすることができる。
【０１２８】
また、屈折型の導光板では、第１屈折列と第２屈折列とは、交互に配置されていてもよい。これにより、第１屈折構造体同士の配置間隔および第２屈折構造体同士の配置間隔を均等化しやくなるため、発光領域同士が互いに重なる領域における発光時のザラツキを効果的に抑制することができる。
【０１２９】
また、屈折型の導光板では、光出射面４５の鉛直方向から見た場合、第１屈折構造体および第２屈折構造体は、長手方向を有する形状であってもよい。これにより、長手方向を有する形状の第１屈折構造体および第２屈折構造体が配置された導光板において、発光領域同士が互いに重なる領域における発光時のザラツキを好適に抑制することができる。
【０１３０】
また、屈折型の導光板では、第１屈折列における各第１屈折構造体は、該第１屈折構造体の長手方向が互いに略平行になるように配置さており、第２屈折列における各第２屈折構造体は、該第２屈折構造体の長手方向が互いに略平行になるように配置されていてもよい。これにより、第１屈折列に配置された第１屈折構造体によって、第１光源２から入射した光Ｌ１を光出射面４５に設定された所定の発光領域へ向けて好適に屈折させることができる。また、第２屈折列に配置された各第２屈折構造体によって、第２光源３から入射した光Ｌ２を光出射面４５に設定された所定の発光領域へ向けて好適に屈折させることができる。
【０１３１】
また、屈折型の導光板では、第１屈折列における各第１屈折構造体は、該第１屈折構造体の長手方向が互いに略平行になるように配置さており、第２屈折列における各第２屈折構造体は、該第２屈折構造体の長手方向が互いに略平行になるように配置されていてもよい。これにより、第１屈折列に配置された第１屈折構造体によって、第１光源２から入射した光Ｌ１を光出射面４５に設定された所定の発光領域へ向けて好適に屈折させることができる。また、第２屈折列に配置された各第２屈折構造体によって、第２光源３から入射した光Ｌ２を光出射面４５に設定された所定の発光領域へ向けて好適に屈折させることができる。
【０１３２】
また、屈折型の導光板では、第１屈折構造体は、該第１屈折構造体の長手方向が第１屈折列の延伸方向と一致する向きに配置されており、第２屈折構造体は、該第２屈折構造体の長手方向が前記第２屈折列の延伸方向と直交する向きに配置されていてもよい。これにより、第１屈折構造体によって屈折させた第１光源２から入射した光Ｌ１を出射させる光出射面４５に設定された所定の発光領域と、第２屈折構造体によって屈折させた第２光源３から入射した光Ｌ２を出射させる光出射面４５に設定された所定の発光領域との光分けを好適に行うことができる。
【０１３３】
〔実施の形態２〕
以下、本発明の他の実施の形態について、図９および図１０に基づいて説明すれば以下のとおりである。本実施の形態では、本発明に係る導光体を備える照光式押しボタンスイッチの一例について説明する。
【０１３４】
この照光式押しボタンスイッチは、例えば、エレベータの乗り場の壁面に取り付けられたエレベータ用の操作パネルに設けられる上方向あるいは下方向などの指示スイッチ、エレベータ内に取り付けられる扉の開閉スイッチ、および行き先階スイッチなどに利用されるものである。
【０１３５】
［照光式押しボタンスイッチ１１の構成］
図９は、本実施の形態に係る照光式押しボタンスイッチ１１の外観を示す分解斜視図である。図９に示すように、照光式押しボタンスイッチ１１は、スイッチ部１２、プランジャ１３、反射シート１４、プリント基板１５、カバー１６、導光板４、拡散板（拡散部材）１７、文字シート１８および操作ボタン１９を備えている。
【０１３６】
（スイッチ部１２）
スイッチ部１２は、プリント基板１５に配置されて第１光源２および第２光源３のＯＮ／ＯＦＦを切り替えるものである。スイッチ部１２は、プランジャ１３の平行移動機構として、リンク部材１２１・１２２、連結部１２３、およびバネ１２４などを備えている。
【０１３７】
リンク部材１２１・１２２は略コの字型に屈曲した形状であり、各リンク部材１２１・１２２の両端部が連結部１２３によってそれぞれ回動可能に連結されている。リンク部材１２１・１２２はプランジャ１３に接続されており、バネ１２４の弾性力によってプランジャ１３を平行移動させる。
【０１３８】
（プランジャ１３）
プランジャ１３は、操作ボタン１９の押下方向を規制するものである。プランジャ１３は、利用者が指などで操作ボタン１９を押下する動作に伴って押下方向に移動可能なようにスイッチ部１２に設けられている。
【０１３９】
（反射シート１４）
反射シート１４は、導光板４の裏面４６から漏れ出した光を、裏面４６へ向けて反射させる反射部材である。反射シート１４は、導光板４の裏面４６に対して略平行に設けられている。導光板４の裏面４６側に反射シート１４を設けることによって、導光板４の裏面４６から漏れ出した光を、導光板４へ向かわせて光出射面４５から出射することができる。したがって、照光式押しボタンスイッチ１１の光の利用効率を向上させることができる。
【０１４０】
（プリント基板１５）
プリント基板１５は、導光板４側の一方の面に第１光源２および第２光源３が配置された帯状の基板である。プリント基板１５のスイッチ部１２側の他方の面には、配線パターンが形成されている。この配線パターンによって、第１光源２および第２光源３と、スイッチ部１２とが電気的に接続されている。
【０１４１】
（カバー１６）
カバー１６は、スイッチ部１２の開口部に取り付けられる枠状部材である。カバー１６は、遮光性の材料からなり、中央部に矩形の開口部１６ａが形成されている。この開口部１６ａを介して、導光板４、拡散板１７、文字シート１８および操作ボタン１９が配置される。
【０１４２】
（拡散板１７）
拡散板１７は、導光板４の光出射面４５から出射された光を拡散する拡散部材である。拡散板１７は、導光板４と文字シート１８との間に、光出射面４５に対して略平行に設けられている。
【０１４３】
拡散板１７は、導光板４の光出射面４５からの光を内部で導光し、文字シート１８へ拡散光として出射する。このように、導光板４の光出射面４５からの光を、拡散板１７を介して文字シート１８へ照射することによって、文字シート１８を透過する光の均一性を向上させることができる。
【０１４４】
この拡散板１７は、ポリカーボネート、ガラスまたはアクリルなどの光透過性を有する材料から構成される。例えば、拡散板１７は、導光板４の光出射面４５からの光を入射させる光入射面、および文字シート１８へ向けて光を出射させる光出射面４５の少なくとも一方に微小な凹凸を形成する、または、内部に光散乱粒子を分散させることで実現することができる。
【０１４５】
なお、拡散板１７は板状のものに限られず、例えばシート状の拡散シートであってもよい。また、複数の拡散板１７を重ね合わせて配置してもよい。複数の拡散板１７を重ね合わせて配置することにより、文字シート１８を照光する光の均一性をさらに向上させることができる。
【０１４６】
（文字シート１８）
文字シートは、透明シートからなり、その中央部に遮光性の材料で上下方向または扉の開閉を示す図柄、或いは階番号を示す数字などが印刷されている。図では、文字シート１８の中央部に、円形枠内に階番号を示す階数文字「８」が印刷されている。この円形枠は、該円形枠の径が導光板４の円形の第１発光領域Ａの径と同程度になるように形成されている。
【０１４７】
（操作ボタン１９）
操作ボタン１９は、透光性を有する板状部材である。この操作ボタン１９の表面は、利用者によって操作される操作面として機能する。
【０１４８】
操作ボタン１９は、カバー１６の内側から開口部１６ａに挿入され、操作ボタン１９の上面側がカバー１６の開口部１６ａから突出した状態で配置される。また、操作ボタン１９の側面の下端部にはフランジ１９ａが形成されており、このフランジ１９ａがカバー１６の内面に当接することによって、操作ボタン１９の上面側への移動が規制される。
【０１４９】
［照光式押しボタンスイッチ１１の効果］
図１０は、本実施の形態に係る照光式押しボタンスイッチ１１の照光状態を示す平面図であり、図１０の（ａ）は、第１光源２を点灯させた場合の照光状態を示し、図１０の（ｂ）は、第２光源３を点灯させた場合の照光状態を示している。
【０１５０】
照光式押しボタンスイッチ１１は、待機状態では第１光源２を点灯させ、導光板４の第１発光領域Ａを発光させる。これにより、図１０の（ａ）に示すように、操作ボタン１９の中央部に位置する、階数文字「８」を囲む円形枠内を照光させることができる。
【０１５１】
また、照光式押しボタンスイッチ１１は、操作ボタン１９が押下されると第１光源２から第２光源３へ点灯を切り替えて、導光板４の第２発光領域Ｂを発光させる。これにより、階数文字の周辺を含めた操作ボタン１９全面を照光させることができる。
【０１５２】
以上のように、本実施の形態に係る照光式押しボタンスイッチ１１は、本発明に係る導光板４と、導光板４へ光Ｌ１を入射させる第１光源２と、導光板４へ光Ｌ２を入射させる第２光源３とを備えている。
【０１５３】
したがって、本実施の形態によれば、第１発光領域Ａと第２発光領域Ｂとが互いに重なる領域における発光時のザラツキを抑制可能な照光式押しボタンスイッチ１１を実現することができる。
【０１５４】
さらに、本実施の形態によれば、操作ボタン１９が操作される前の待機状態で階数文字部分が照光し、操作ボタン１９が押下されると、階数文字の周辺を含めた操作ボタン１９全体が照光するため、操作前後のいずれの場合であっても視認性に優れ、操作しやすい照光式押しボタンスイッチ１１を実現することができる。
【０１５５】
なお、本実施の形態では、照光式押しボタンスイッチ１１は、操作ボタン１９が押下されると、第１光源２から第２光源３へ点灯を切り替えることによって、階数文字の周辺を含めた操作ボタン１９全体を照光させているが、本発明はこのような構成に限定されない。
【０１５６】
照光式押しボタンスイッチ１１は、操作ボタン１９が押下されると、第１光源２に加えて第２光源３を点灯させることによって、階数文字の周辺を含めた操作ボタン１９全体を照光させる構成であってもよい。
【０１５７】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０１５８】
本発明に係る導光体は、照光式押しボタンスイッチなどに用いられる面発光装置に好適に利用することができる。
【符号の説明】
【０１５９】
１  発光装置
２  第１光源
３  第２光源
４  導光板（導光体）
５  第１反射パターン（第１反射構造体）
６  第２反射パターン（第２反射構造体）
１１  照光式押しボタンスイッチ
１７  拡散板（拡散部材）
５１  反射面
６１  反射面
Ａ  第１発光領域
ａ  第１反射領域
ａ’  境界線
Ｂ  第２発光領域
ｂ  第２反射領域
Ｌ１  光（第１光源から入射した光）
Ｌ２  光（第２光源から入射した光）
Ｒ１  第１反射列
Ｒ２  第２反射列
【図１】
0006406053.tif 000002
【図２】
0006406053.tif 000003
【図３】
0006406053.tif 000004
【図４】
0006406053.tif 000005
【図５】
0006406053.tif 000006
【図６】
0006406053.tif 000007
【図７】
0006406053.tif 000008
【図８】
0006406053.tif 000009
【図９】
0006406053.tif 000010
【図１０】
0006406053.tif 000011
【図１１】
0006406053.tif 000012